【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
書籍の本文を印刷して折丁束として排出する印刷部と、前記印刷部から排出された前記折丁束を綴じて製本する製本部とを有する書籍の製造装置であって、
前記印刷部は、
ウェブの印刷面に連続して異なる画像を印刷可能であって、前記印刷面に前記書籍の本文の画像と共に該書籍を特定する主マークを印刷するウェブ式デジタル印刷機と、
前記ウェブ式デジタル印刷機により印刷された前記ウェブを重ね折りして横断裁することで折丁を形成する折機と、
前記折機により形成された前記折丁を積み重ねて折丁束を形成し該折丁束を搬送して排出する印刷部搬送装置と、を有し、
前記製本部は、複数の製本加工部を有し、
前記製本加工部には、
前記印刷部搬送装置から排出された前記折丁束を受け取って搬送する製本部搬送装置と、
前記製本部搬送装置により搬送される前記折丁束を用いて形成された一冊分の用紙束の背面を結合して綴じて冊子を完成させる綴じ機と、
前記製本部搬送装置により搬送される前記冊子の背面以外を三方断裁する三方断裁機と、
紙部品を用いて前記折丁束，前記一冊分の用紙束及び前記冊子の何れかに製本のための加工を行なう紙部品追加製本加工部と、が含まれると共に、
前記製本部搬送装置により搬送される前記折丁束から前記主マークを読み取る主読取装置と、
前記紙部品追加製本加工部で用いられ、前記主マークで特定される製造対象書籍を含む製本予定の複数の書籍のそれぞれの前記紙部品を個別にセット可能な複数のフィーダ容器を備え、前記複数のフィーダ容器の中から特定のフィーダ容器を選択してセットされた前記紙部品を前記紙部品追加製本加工部に供給する紙部品フィーダを有するフィーダユニットと、
前記主読取装置により読み取られた前記主マークの情報から前記製造対象書籍を特定し、前記製造対象書籍に対応した前記紙部品がセットされたフィーダ容器を選択するように前記フィーダユニットを制御する制御装置と、を有する
書籍の製造装置。
【請求項２】
前記紙部品追加製本加工部には、前記綴じ機の上流に配置され、前記製本部搬送装置により搬送される前記折丁束に前記紙部品としての追加頁を積み重ねて前記一冊分の用紙束に丁合する丁合機が含まれ、
前記フィーダユニットには、前記製本予定の複数の書籍の各追加頁を個別にセット可能な複数のフィーダ容器を備え、前記複数のフィーダ容器の中から特定のフィーダ容器を選択してセットされた前記追加頁を前記丁合機に供給する追加頁フィーダを有する第１フィーダユニットが含まれ、
前記制御装置は、前記主読取装置により読み取られた前記主マークの情報から前記製造対象書籍を特定し、該特定した製造対象書籍に対応した前記追加頁がセットされたフィーダ容器を選択するように前記第１フィーダユニットを制御する
請求項１記載の書籍の製造装置。
【請求項３】
前記追加頁は、前記製造対象書籍の本文の一部及び前記製造対象書籍の口絵の何れか又は両方であって、
前記第１フィーダユニットは、前記製本部搬送装置による前記折丁束の搬送方向に沿ってそれぞれ順に前記追加頁を積み重ねることが可能な複数の前記追加頁フィーダを備え、前記複数の追加頁フィーダのそれぞれに前記フィーダ容器が複数ずつ装備されている
請求項２記載の書籍の製造装置。
【請求項４】
前記追加頁には、該追加頁が用いられる前記製造対象書籍を特定する第１マークが印刷され、
前記第１フィーダユニットには、前記第１マークを読み取る第１読取装置が装備され、
前記制御装置は、前記第１読取装置により読み取られた前記第１マークの情報から前記特定した製造対象書籍に対応した前記追加頁がセットされたフィーダ容器を特定する
請求項２又は３記載の書籍の製造装置。
【請求項５】
前記綴じ機は、前記一冊分の用紙束の背面に糊付けして綴じる綴じ機であって、
前記製本加工部には、
前記綴じ機の直下流に配置され、前記製本部搬送装置により搬送される前記一冊分の用紙束の背面の糊が乾く前に、前記紙部品としての前記製造対象書籍の表紙を前記背面側に接着して表紙込みの冊子を完成させる前記紙部品追加製本加工部としての表紙挿し機と、
前記表紙挿し機で完成され前記製本部搬送装置により搬送される前記冊子の糊を乾燥させる乾燥機と、が含まれ、
前記フィーダユニットには、前記表紙挿し機に付設され、前記製造対象書籍を含む製本予定の複数の書籍の各表紙を個別にセット可能な複数のフィーダ容器を備え、前記複数のフィーダ容器の中から特定のフィーダ容器を選択して前記表紙を前記表紙挿し機に供給する表紙フィーダを有する第２フィーダユニットが含まれ、
前記制御装置は、前記特定した製造対象書籍に対応した前記表紙がセットされたフィーダ容器を選択するように前記第２フィーダユニットを制御する
請求項１〜４の何れか１項に記載の書籍の製造装置。
【請求項６】
前記表紙には、該表紙が用いられる書籍を特定する第２マークが印刷され、
前記第２フィーダユニットには、前記第２マークを読み取る第２読取装置が装備され、
前記制御装置は、前記第２読取装置により読み取られた前記第２マークの情報から前記特定した製造対象書籍に対応した前記表紙がセットされたフィーダ容器を特定する
請求項５記載の書籍の製造装置。
【請求項７】
前記紙部品追加製本加工部には、前記三方断裁機で三方断裁され前記製本部搬送装置により搬送される前記冊子の外側に前記紙部品としてのカバー類を装着するカバー帯掛け機が含まれ、
前記フィーダユニットには、前記カバー帯掛け機に付設され、前記製造対象書籍を含む製本予定の複数の書籍毎に各カバー類を個別にセット可能な複数のフィーダ容器を備え、前記複数のフィーダ容器の中から特定のフィーダ容器を選択して前記カバー類を前記カバー帯掛け機に供給するカバー類フィーダを有する第３フィーダユニットが含まれ、
前記制御装置は、前記特定した製造対象書籍に対応した前記カバー類がセットされたフィーダ容器を選択するように前記第３フィーダユニットを制御する
請求項１〜６の何れか１項に記載の書籍の製造装置。
【請求項８】
前記カバー類には、該カバー類が用いられる書籍を特定する第３マークが印刷され、
前記第３フィーダユニットには、前記第３マークを読み取る第３読取装置が装備され、
前記制御装置は、前記第３読取装置により読み取られた前記第３マークの情報から前記特定した製造対象書籍に対応した前記カバー類がセットされたフィーダ容器を特定する
請求項７記載の書籍の製造装置。
【請求項９】
前記カバー類は、カバー，帯，スリップを含み、
前記第３フィーダユニットは、前記製本部搬送装置による前記冊子の搬送方向に沿ってそれぞれ前記カバー，前記帯，前記スリップを順に装着することが可能な複数の前記カバー類フィーダを備え、前記複数のカバー類フィーダのそれぞれに前記フィーダ容器が複数ずつ装備されている
請求項８記載の書籍の製造装置。
【請求項１０】
前記マークは、
前記印刷面の余白部又は非印刷面に印刷され、バーコード，二次元コードを含む絵柄構造で特定されるマーク及び前記余白部への印刷位置で特定されるマークの何れか、或いは、
前記印刷面又は前記非印刷面の任意の個所に印刷され、ステルスインクで印刷されるマーク及び見えないドットコードの何れか、或いは、
印刷絵柄の一部または全部、である
請求項１〜９の何れか１項に記載の書籍の製造装置。
【請求項１１】
前記フィーダ容器のそれぞれのストック状況を監視する監視装置を有し、
前記制御装置は、前記監視装置の監視情報から、前記特定した製造対象書籍に対応した前記追加頁，前記表紙又は前記カバー類のストックが欠如する場合には、書籍の製造にかかるジョブを強制的に切り替える
請求項１〜１０の何れか１項に記載の書籍の製造装置。
【請求項１２】
書籍の本文を印刷し折丁束として排出する印刷工程と、前記印刷工程で排出された前記折丁束を綴じて製本する製本工程とを有する書籍の製造方法であって、
前記印刷工程は、
ウェブの印刷面に連続して異なる画像を印刷可能なウェブ式デジタル印刷機によって、前記印刷面に前記書籍の本文の画像と共に該書籍を特定する主マークを印刷する印刷本工程と、
前記印刷本工程で印刷された前記ウェブを折機によって重ね折りして横断裁することで折丁を形成する折丁形成工程と、
前記折丁形成工程により形成された前記折丁を積み重ねて折丁束を形成し該折丁束を印刷部搬送装置によって搬送して排出する折丁束排出工程と、を有し、
前記製本工程は、
前記折丁束排出工程で排出された前記折丁束を製本部搬送装置により受け取る折丁束受取工程と、
前記丁合工程で丁合された前記前記折丁束を用いて形成された一冊分の用紙束を前記製本部搬送装置により搬送しながらその背面を綴じ機によって結合して綴じて冊子を完成させる綴じ工程と、
前記冊子の背面以外を三方断裁機により三方断裁する三方断裁工程と、
前記綴じ工程又は前記三方断裁工程の前後で、紙部品を用いて前記折丁束，前記一冊分の用紙束及び前記冊子の何れかに製本のための加工を紙部品追加製本加工部にて行なう製本加工工程と、を有し、
前記製本加工工程では、前記製本部搬送装置により搬送される前記折丁束から前記主マークを前記主読取工程装置によって読み取って、制御装置により、読み取った前記主マークから製造対象書籍を特定し、フィーダユニットの紙部品フィーダに装備され前記製造対象書籍を含む製本予定の複数の書籍の各紙部品を個別にセット可能な複数のフィーダ容器の中から、前記特定した製造対象書籍に対応した前記紙部品がセットされたフィーダ容器を選択し、前記紙部品フィーダによって、選択した前記フィーダ容器の紙部品を前記紙部品追加製本加工部に供給する
書籍の製造方法。
【請求項１３】
前記製本加工工程には、前記折丁束受取工程で受け取った前記折丁束を前記製本部搬送装置により搬送しながら丁合機によって前記紙部品としての追加頁を積み重ねて一冊分の用紙束に丁合する丁合工程が含まれ、
前記フィーダユニットには、前記製本予定の複数の書籍の各追加頁を個別にセット可能な複数のフィーダ容器を備え、前記複数のフィーダ容器の中から特定のフィーダ容器を選択してセットされた前記追加頁を前記丁合機に供給する追加頁フィーダを有する第１フィーダユニットが含まれ、
前記丁合工程では、製本部搬送装置により搬送される前記折丁束から前記主マークを主読取工程装置によって読み取って、前記制御装置により、読み取った前記主マークから前記製造対象書籍を特定し、前記製造対象書籍を含む製本予定の複数の書籍の各追加頁を個別にセット可能な複数のフィーダ容器の中から、前記特定した製造対象書籍に対応した前記追加頁がセットされたフィーダ容器を選択し、前記第１フィーダユニットの追加頁フィーダによって、選択した前記追加頁を前記丁合機に供給する
請求項１２記載の書籍の製造方法。
【請求項１４】
前記追加頁は、前記製造対象書籍の本文の一部及び前記製造対象書籍の口絵の何れか又は両方であって、
前記第１フィーダユニットは、前記製本部搬送装置による前記折丁束の搬送方向に沿ってそれぞれ順に前記追加頁を積み重ねることが可能な複数の前記追加頁フィーダを備え、前記複数の追加頁フィーダのそれぞれに前記フィーダ容器が複数ずつ装備され、
前記丁合工程では、前記複数の追加頁フィーダの一部または全てを選択して作動させる
請求項１３記載の書籍の製造方法。
【請求項１５】
前記追加頁には、該追加頁が用いられる前記製造対象書籍を特定する第１マークが印刷され、
前記丁合工程では、第１読取装置により前記第１マークを読み取り、前記制御装置により、前記第１読取装置により読み取られた前記第１マークの情報から前記特定した製造対象書籍に対応した前記追加頁がセットされたフィーダ容器を特定する
請求項１３又は１４記載の書籍の製造方法。
【請求項１６】
前記綴じ機は、前記一冊分の用紙束の背面に糊付けして綴じる綴じ機であって、
前記製本加工工程には、
前記綴じ機の直下流に配置された表紙挿し機により、前記製本部搬送装置により搬送される前記一冊分の用紙束の背面の糊が乾く前に前記紙部品としての前記製造対象書籍の表紙を前記背面側に接着して表紙込みの冊子を完成させる表紙挿し工程と、
前記表紙挿し機で完成され前記製本部搬送装置により搬送される前記冊子の糊を乾燥機により乾燥させる乾燥工程と、が含まれ、
前記フィーダユニットには、前記表紙挿し機に付設され、前記製造対象書籍を含む製本予定の複数の書籍の各表紙を個別にセット可能な複数のフィーダ容器を備え、前記複数のフィーダ容器の中から特定のフィーダ容器を選択して前記表紙を前記表紙挿し機に供給する表紙フィーダを有する第２フィーダユニットが含まれ、
前記表紙挿し工程では、前記製本予定の複数の書籍の各表紙を個別にセット可能な複数のフィーダ容器の中から、前記特定した製造対象書籍に対応した前記表紙がセットされたフィーダ容器を選択し、第２フィーダユニットの表紙フィーダによって、選択した前記表紙を前記表紙挿し機に供給する
請求項１２〜１５の何れか１項に記載の書籍の製造方法。
【請求項１７】
前記表紙には、該表紙が用いられる前記製造対象書籍を特定する第２マークが印刷され、
前記表紙挿し工程では、第２読取装置により前記第２マークを読み取り、前記制御装置により、前記第２読取装置により読み取られた前記第２マークの情報から前記特定した製造対象書籍に対応した前記表紙をセットされたフィーダ容器を特定する
請求項１６記載の書籍の製造方法。
【請求項１８】
前記製本加工工程には、
前記三方断裁工程で三方断裁された前記冊子の外側にカバー帯掛け機により前記紙部品としてのカバー類を装着するカバー帯掛け工程が含まれ、
前記フィーダユニットには、前記カバー帯掛け機に付設され、前記製造対象書籍を含む製本予定の複数の書籍毎に各カバー類を個別にセット可能な複数のフィーダ容器を備え、前記複数のフィーダ容器の中から特定のフィーダ容器を選択して前記カバー類を前記カバー帯掛け機に供給するカバー類フィーダを有する第３フィーダユニットが含まれ、
前記カバー帯掛け工程では、前記製本予定の複数の書籍の各カバー類を個別にセット可能なフィーダ容器の中から、前記特定した製造対象書籍に対応した前記カバー類がセットされたフィーダ容器を選択し、第３フィーダユニットのカバー類フィーダによって、選択した前記カバー類を前記カバー帯掛け機に供給する
請求項１２〜１７の何れか１項に記載の書籍の製造方法。
【請求項１９】
前記カバー類には、該カバー類が用いられる書籍を特定する第３マークが印刷され、
前記カバー帯掛け工程では、第３読取装置により前記第３マークを読み取り、前記制御装置により、前記第３読取装置により読み取られた前記第３マークの情報から前記特定した製造対象書籍に対応した前記カバー類をセットされたフィーダ容器を特定する
請求項１８記載の書籍の製造方法。
【請求項２０】
前記カバー類は、カバー，帯，スリップを含み、
前記第３フィーダユニットは、前記製本部搬送装置による前記冊子の搬送方向に沿ってそれぞれ前記カバー，前記帯，前記スリップを順に装着することが可能な複数の前記カバー類フィーダを備え、前記複数のカバー類フィーダのそれぞれに前記フィーダ容器が複数ずつ装備され、
前記カバー帯掛け工程では、前記複数のカバー類フィーダの一部又は前部を選択して作動させる
請求項１９記載の書籍の製造方法。
【請求項２１】
前記マークは、
前記印刷面の余白部又は非印刷面に印刷され、バーコード，二次元コードを含む絵柄構造で特定されるマーク及び前記余白部への印刷位置で特定されるマークの何れか、或いは、
前記印刷面の任意の個所に印刷され、ステルスインクで印刷されるマーク及び見えないドットコードの何れか、或いは、
印刷絵柄の一部または全部、である
請求項１２〜２０の何れか１項に記載の書籍の製造方法。
【請求項２２】
前記フィーダ容器のそれぞれのストック状況を監視装置によって監視し、
前記制御装置によって、前記監視装置の監視情報から、前記特定した製造対象書籍に対応した前記追加頁，前記表紙又は前記カバー類のストックが欠如する場合には、書籍の製造にかかるジョブを強制的に切り替える
請求項１２〜２１の何れか１項に記載の書籍の製造方法。
【手続補正２】
【補正対象書類名】明細書
【補正対象項目名】０００５
【補正方法】変更
【補正の内容】
【０００５】
丁合機２１０には、用紙の搬送方向に沿って複数のフィーダ２１１ａ〜２１１ｎ（各フィーダ２１１ａ〜２１１ｎを区別しない場合は符号２１１で示す）が並設されており、各フィーダ２１１ａ〜２１１ｎには頁順（昇順または降順）に折丁や口絵がそれぞれセットされている。丁合機２１０では、各フィーダ２１１ａ〜２１１ｎから折丁や口絵を頁順に受け取り、これらを積み重ねながら一冊分の用紙束を作って、無線綴じ機２２０に送給する。
【手続補正３】
【補正対象書類名】明細書
【補正対象項目名】０００７
【補正方法】変更
【補正の内容】
【０００７】
カバー帯掛け機２６０には、用紙の搬送方向に沿って複数のフィーダ２６１ａ〜２６１ｃ（各フィーダ２６１ａ〜２６１ｃを区別しない場合は符号２６１で示す）が並設されており、各フィーダ２６１ａ〜２６１ｃにはカバーや帯やスリップ（ＩＳＢＮを書いた短冊）がそれぞれセットされている。カバー帯掛け機２６０では、各フィーダ２６１ａ〜２６１ｃにセットされたカバーや帯やスリップ（ＩＳＢＮを書いた短冊）を順に受け取り、カバーや帯を冊子の外側に掛けて、スリップを冊子に挿入する。
また、図示しないが、その後、何冊かの単位で結束して書籍の製造を完了する。
【手続補正４】
【補正対象書類名】明細書
【補正対象項目名】００２３
【補正方法】変更
【補正の内容】
【００２３】
（５）前記綴じ機は、前記一冊分の用紙束の背面に糊付けして綴じる綴じ機であって、前記製本加工部には、前記綴じ機の直下流に配置され、前記製本部搬送装置により搬送される前記一冊分の用紙束の背面の糊が乾く前に、前記紙部品としての前記製造対象書籍の表紙を前記背面側に接着して表紙込みの冊子を完成させる前記紙部品追加製本加工部としての表紙挿し機と、前記表紙挿し機で完成され前記製本部搬送装置により搬送される前記冊子の糊を乾燥させる乾燥機と、が含まれ、前記フィーダユニットには、前記表紙挿し機に付設され、前記製造対象書籍を含む製本予定の複数の書籍の各表紙を個別にセット可能な複数のフィーダ容器を備え、前記複数のフィーダ容器の中から特定のフィーダ容器を選択して前記表紙を前記表紙挿し機に供給する表紙フィーダを有する第２フィーダユニットが含まれ、前記制御装置は、前記特定した製造対象書籍に対応した前記表紙がセットされたフィーダ容器を選択するように前記第２フィーダユニットを制御することが好ましい。
【手続補正５】
【補正対象書類名】明細書
【補正対象項目名】００２５
【補正方法】変更
【補正の内容】
【００２５】
（７）前記紙部品追加製本加工部には、前記三方断裁機で三方断裁され前記製本部搬送装置により搬送される前記冊子の外側に前記紙部品としてのカバー類を装着するカバー帯掛け機が含まれ、前記フィーダユニットには、前記カバー帯掛け機に付設され、前記製造対象書籍を含む製本予定の複数の書籍毎に各カバー類を個別にセット可能な複数のフィーダ容器を備え、前記複数のフィーダ容器の中から特定のフィーダ容器を選択して前記カバー類を前記カバー帯掛け機に供給するカバー類フィーダを有する第３フィーダユニットが含まれ、前記制御装置は、前記特定した製造対象書籍に対応した前記カバー類がセットされたフィーダ容器を選択するように前記第３フィーダユニットを制御することが好ましい。
【手続補正６】
【補正対象書類名】明細書
【補正対象項目名】００２７
【補正方法】変更
【補正の内容】
【００２７】
（９）前記カバー類は、カバー，帯，スリップを含み、前記第３フィーダユニットは、前記製本部搬送装置による前記冊子の搬送方向に沿ってそれぞれ前記カバー，前記帯，前記スリップを順に装着することが可能な複数の前記カバー類フィーダを備え、前記複数のカバー類フィーダのそれぞれに前記フィーダ容器が複数ずつ装備されていることが好ましい。
【手続補正７】
【補正対象書類名】明細書
【補正対象項目名】００２９
【補正方法】変更
【補正の内容】
【００２９】
（１１）前記フィーダ容器のそれぞれのストック状況を監視する監視装置を有し、前記制御装置は、前記監視装置の監視情報から、前記特定した製造対象書籍に対応した前記追加頁，前記表紙又は前記カバー類のストックが欠如する場合には、書籍の製造にかかるジョブを強制的に切り替えることが好ましい。
【手続補正８】
【補正対象書類名】明細書
【補正対象項目名】００３５
【補正方法】変更
【補正の内容】
【００３５】
（１８）前記製本加工工程には、前記三方断裁工程で三方断裁された前記冊子の外側にカバー帯掛け機により前記紙部品としてのカバー類を装着するカバー帯掛け工程が含まれ、前記フィーダユニットには、前記カバー帯掛け機に付設され、前記製造対象書籍を含む製本予定の複数の書籍毎に各カバー類を個別にセット可能な複数のフィーダ容器を備え、前記複数のフィーダ容器の中から特定のフィーダ容器を選択して前記カバー類を前記カバー帯掛け機に供給するカバー類フィーダを有する第３フィーダユニットが含まれ、前記カバー帯掛け工程では、前記製本予定の複数の書籍の各カバー類を個別にセット可能なフィーダ容器の中から、前記特定した製造対象書籍に対応した前記カバー類がセットされたフィーダ容器を選択し、第３フィーダユニットのカバー類フィーダによって、選択した前記カバー類を前記カバー帯掛け機に供給することが好ましい。
【手続補正９】
【補正対象書類名】明細書
【補正対象項目名】００３７
【補正方法】変更
【補正の内容】
【００３７】
（２０）前記カバー類は、カバー，帯，スリップを含み、前記第３フィーダユニットは、前記製本部搬送装置による前記冊子の搬送方向に沿ってそれぞれ前記カバー，前記帯，前記スリップを順に装着することが可能な複数の前記カバー類フィーダを備え、前記複数のカバー類フィーダのそれぞれに前記フィーダ容器が複数ずつ装備され、前記カバー帯掛け工程では、前記複数のカバー類フィーダの一部又は前部を選択して作動させることが好ましい。
【手続補正１０】
【補正対象書類名】明細書
【補正対象項目名】００３９
【補正方法】変更
【補正の内容】
【００３９】
（２２）前記フィーダ容器のそれぞれのストック状況を監視装置によって監視し、前記制御装置によって、前記監視装置の監視情報から、前記特定した製造対象書籍に対応した前記追加頁，前記表紙又は前記カバー類のストックが欠如する場合には、書籍の製造にかかるジョブを強制的に切り替えることが好ましい。
【手続補正１１】
【補正対象書類名】明細書
【補正対象項目名】０１０４
【補正方法】変更
【補正の内容】
【０１０４】
例えば、フィーダカセットのそれぞれのストック状況を監視する監視装置を設け、制御装置は、この監視装置の監視情報から、特定した書籍に対応した追加頁，表紙又はカバー類のストックが欠如する場合には、書籍の製造にかかるジョブを、ストックが揃っている別のジョブに強制的に切り替えるようにしてもよい。これにより、損紙の減少や生産効率の低下を回避できる。この場合、別のジョブは印刷スケジュール上の順位で決定しても良いし、紙種やサイズなどが同じジョブを優先しても良い。あるいは、ジョブを強制的に切り替える代わりに印刷機を停止させても良い。